(57)【要約】【課題】  側面パネルと背面パネルとの間の取合い態様にかかわらず、フラット対面キッチンに対してバックカバーパネルを同じ奥行き位置に取り付けることのできる取付金具。【解決手段】  取付金具（１０）は、側面パネルの後端面から所定の距離だけ間隔を隔ててバックカバーパネルを取り付けるために、側面パネルの後端面とバックカバーパネルの内側面との間に介在する。取付金具は、第１平面部（１１）と、それに連接して直交する第２平面部（１２）と、第１平面部および第２平面部に連接して直交する第３平面部（１３）と、第１平面部および第２平面部に連接して第３平面部と平行な第４平面部（１４）と、第１平面部とほぼ平行な第５平面部（１５）と、第１平面部と第５平面部とを連結する連結部（１６）とを備えている。【選択図】  図２
2005192852.tif 000002
【特許請求の範囲】
【請求項１】
フラット対面キッチンにバックカバーパネルを取り付けるための取付金具であって、
前記取付金具は、前記側面パネルの後端面から所定の距離だけ間隔を隔ててバックカバーパネルを取り付けるために、前記側面パネルの後端面と前記バックカバーパネルの内側面との間に介在することを特徴とする取付金具。
【請求項２】
ほぼ正方形状の第１平面部と、
前記第１平面部の第１辺に連接し且つ前記第１平面部とほぼ直交する第２平面部と、
前記第１平面部および前記第２平面部に連接し且つ前記第１平面部とほぼ直交する第３平面部と、
前記第１平面部および前記第２平面部に連接し且つ前記第３平面部とほぼ平行な第４平面部と、
前記第１平面部とほぼ平行で且つ前記第１平面部から前記第２平面部の突出方向に間隔を隔てた第５平面部と、
前記第１平面部の前記第１辺に対向する第２辺と前記第５平面部とを連結する連結部とを備えていることを特徴とする請求項１に記載の取付金具。
【請求項３】
前記第２平面部および前記第３平面部にはビス螺合用のねじ孔が形成され、前記第１平面部、前記第４平面部および前記第５平面部にはビス貫通用の孔が形成されていることを特徴とする請求項２に記載の取付金具。
【発明の詳細な説明】
【技術分野】
【０００１】
本発明は、バックカバーパネルの取付金具に関し、特にフラット対面キッチンにバックカバーパネルを取り付けるための取付金具に関するものである。
【背景技術】
【０００２】
一般に、フラット対面キッチンは、シンクの前方に立ってカウンター越しにリビングルームやダイニングルームを見渡すことができるとともに、キッチン側およびリビングルーム（以下、ダイニングルームも含む概念とする）側の双方からカウンター面にアクセスすることができるように構成される。その結果、カウンター面を構成する天板が、背面パネルからリビングルームに向かってある程度張り出すのが一般的である。
【０００３】
なお、フラット対面キッチンでは、所定の奥行き寸法を有する側面パネルに対して、様々な態様にしたがって、背面パネルが取り付けられている。たとえば、側面パネルの後端面からある程度セットバックして、背面パネルが取り付けられている。あるいは、セットバックすることなく、側面パネルの後端面の位置に背面パネルが取り付けられている。あるいは、上側の背面パネルがセットバックすることなく側面パネルの後端面の位置に取り付けられ、下側の背面パネルが側面パネルの後端面からある程度セットバックして取り付けられている。
【発明の開示】
【発明が解決しようとする課題】
【０００４】
フラット対面キッチンでは、背面パネルの後方に配管スペースが必要になるので、リビングルーム側からの美観を保つために、配管スペースを確保しつつフラット対面キッチンの背面をバックカバーパネルで全面的に覆う構成が考えられる。この場合、バックカバーパネルを背面パネルに取り付ける構成では、上述したように所定の奥行き寸法を有する側面パネルに対する背面パネルの取付け位置が異なるため、バックカバーパネルを同じ奥行き位置に取り付けるには様々な種類の取付金具が必要になる。
【０００５】
本発明は、前述の課題に鑑みてなされたものであり、側面パネルと背面パネルとの間の取合い態様にかかわらず、フラット対面キッチンに対してバックカバーパネルを同じ奥行き位置に取り付けることのできる取付金具を提供することを目的とする。
【課題を解決するための手段】
【０００６】
前記課題を解決するために、本発明では、フラット対面キッチンにバックカバーパネルを取り付けるための取付金具であって、
前記取付金具は、前記側面パネルの後端面から所定の距離だけ間隔を隔ててバックカバーパネルを取り付けるために、前記側面パネルの後端面と前記バックカバーパネルの内側面との間に介在することを特徴とする取付金具を提供する。
【０００７】
本発明の好ましい態様によれば、ほぼ正方形状の第１平面部と、前記第１平面部の第１辺に連接し且つ前記第１平面部とほぼ直交する第２平面部と、前記第１平面部および前記第２平面部に連接し且つ前記第１平面部とほぼ直交する第３平面部と、前記第１平面部および前記第２平面部に連接し且つ前記第３平面部とほぼ平行な第４平面部と、前記第１平面部とほぼ平行で且つ前記第１平面部から前記第２平面部の突出方向に間隔を隔てた第５平面部と、前記第１平面部の前記第１辺に対向する第２辺と前記第５平面部とを連結する連結部とを備えている。この場合、前記第２平面部および前記第３平面部にはビス螺合用のねじ孔が形成され、前記第１平面部、前記第４平面部および前記第５平面部にはビス貫通用の孔が形成されていることが好ましい。
【発明の効果】
【０００８】
本発明では、フラット対面キッチンの側面パネルの後端面とバックカバーパネルの内側面との間に介在する取付金具を用いているので、側面パネルの後端面から所定の距離だけ間隔を隔ててバックカバーパネルを取り付けることが可能になる。すなわち、側面パネルと背面パネルとの間の取合い態様にかかわらず、フラット対面キッチンに対してバックカバーパネルを同じ奥行き位置に取り付けることができる。
【０００９】
その結果、本発明では、背面パネルの後方に配管スペースを確保しつつ、リビングルーム側からの美観を保つことができる。また、所定の奥行き寸法を有する天板と一定の奥行き位置に取り付けられたバックカバーパネルとにより、フラット対面キッチンの後方に一定寸法のスペースが確保されるので、この規格化された後方スペースを有効利用することができる。
【００１０】
また、本発明では、上述のような所定の形態にしたがって互いに連接された５つの平面部と１つの連結部とにより取付金具を形成することにより、非常に簡素な構成を有し且つ取り扱いの容易な取付金具を実現することができる。この場合、第２平面部および第３平面部にビス螺合用のねじ孔を形成し、第１平面部、第４平面部および第５平面部にビス貫通用の孔を形成することにより、ビスを用いてバックカバーパネルの取付けを容易に且つ迅速に行うことができる。
【発明を実施するための最良の形態】
【００１１】
本発明の実施形態を、添付図面に基づいて説明する。
図１は、本発明の実施形態にかかるフラット対面キッチンの構成を概略的に示す上面図である。また、図２〜図４は、本実施形態にかかる取付金具の構成を様々な姿勢で概略的に示す斜視図である。また、図５〜図７は、本実施形態にかかる取付金具を用いる様々な具体例を説明する図である。
【００１２】
図１を参照すると、本実施形態のシステムキッチンＳにはシンク１が設けられ、シンク１に隣接して例えば湯水混合型の水栓２が設けられている。また、シンク１を除く領域に設けられたカウンター面は、背面パネル（不図示）からリビングルームＬに向かって張り出した奥行きの比較的大きな天板３で覆われている。こうして、シンク１の後方には、比較的広いカウンター面が確保されている。
【００１３】
また、シンク１の排出口１ａの上方には、たとえば洗剤やスポンジなどを載置するための洗剤バスケット４が設置されている。本実施形態のようなフラット対面型のシステムキッチンＳでは、シンク１の前方に立ってカウンター越しにリビングルームＬを見渡すことができ、キッチン側およびリビングルームＬ側の双方からカウンター面にアクセスすることができるように構成されている。
【００１４】
図２〜図４を参照すると、本実施形態の取付金具１０は、第１平面部１１と第２平面部１２と第３平面部１３と第４平面部１４と第５平面部１５と連結部１６とにより構成されている。第１平面部１１は、ほぼ正方形状の中央部分である。第２平面部１２は、第１平面部１１の第１辺１１ａに連接し、且つ第１平面部１１とほぼ直交している。第３平面部１３は、第１平面部１１および第２平面部１２に連接し、且つ第１平面部１１とほぼ直交している。
【００１５】
第４平面部１４は、第１平面部１１および第２平面部１２に連接し、且つ第３平面部１３とほぼ平行に対向している。第５平面部１５は、第１平面部１１とほぼ平行で、且つ第１平面部１１から第２平面部１２の突出方向に間隔を隔てている。連結部１６は、第１平面部１１の第１辺１１ａに対向する第２辺１１ｂと第５平面部１５とを連結している。第１平面部１１乃至第５平面部１５には、ビス貫通用の孔が形成されている。
【００１６】
すなわち、第１平面部１１には、第１辺１１ａに沿って間隔を隔てた２つのビス貫通用の孔１１ｃと、第１辺１１ａとほぼ直交する方向に沿って間隔を隔てた２つのビス貫通用の孔１１ｃとが、全体的に十字状に形成されている。また、第２平面部１２には、第１平面部１１の第１辺１１ａに沿って間隔を隔てた２つのビス螺合用のねじ孔１２ａが形成されている。また、第３平面部１３には、１つのビス螺合用のねじ孔１３ａが形成されている。
【００１７】
また、第４平面部１４には、第１平面部１１との連接方向に沿って間隔を隔てた２つのビス貫通用の孔１４ａが形成されている。また、第５平面部１５には、連結部１６との連接方向に沿って間隔を隔てた２つのビス貫通用の孔１５ａが形成されている。なお、連結部１６には、ビス貫通用の孔が形成されていない。本実施形態の取付金具１０は、適当な金属または樹脂などにより形成されている。
【００１８】
図５の第１具体例を参照すると、背面パネル５が、側面パネル６の後端面からある程度セットバックして取り付けられている。また、側面パネル６の外側には、天板３（図５では不図示）の奥行きに合わせた寸法を有するサイドカバーパネル７が当接するように設けられている。そして、上側の取付金具１０ａでは、第１平面部１１がサイドカバーパネル７の内側面に当接し、第５平面部１５が側面パネル６の内側面に当接し、連結部１６が側面パネル６の後端面に当接し、第４平面部１４が天板３の下側面に当接している。
【００１９】
上側の取付金具１０ａは、この姿勢において、ビス貫通用の孔１５ａを貫通するビスにより側面パネル６に連結され、ビス貫通用の孔１１ｃを貫通するビスによりサイドカバーパネル７に連結され、ビス貫通用の孔１４ａを貫通するビスにより天板３に連結される。さらに、上側の取付けフレーム８ａが、ビス螺合用のねじ孔１２ａと螺合するビスにより上側の取付金具１０ａに連結される。
【００２０】
一方、下側の取付金具１０ｂでは、第１平面部１１がサイドカバーパネル７の内側面に当接し、第５平面部１５が側面パネル６の内側面に当接し、連結部１６が側面パネル６の後端面に当接し、第４平面部１４が床面に当接している。下側の取付金具１０ｂは、この姿勢において、ビス貫通用の孔１５ａを貫通するビスにより側面パネル６に連結され、ビス貫通用の孔１１ｃを貫通するビスによりサイドカバーパネル７に連結される。
【００２１】
さらに、下側の取付けフレーム８ｂがビス螺合用のねじ孔１２ａと螺合するビスにより下側の取付金具１０ｂに連結される。こうして、第１具体例では、上側の取付けフレーム８ａと下側の取付けフレーム８ｂとの間に、図示を省略したバックカバーパネルが取り付けられる。そして、上側の取付けフレーム８ａおよび下側の取付けフレーム８ｂ並びにビスのヘッドは、対応するカバーフレーム９ａおよびカバーフレーム９ｂにより覆われる。
【００２２】
図６の第２具体例を参照すると、背面パネル５が、セットバックすることなく、側面パネル６の後端面の位置に取り付けられている。また、側面パネル６の外側には、天板３（図６では不図示）の奥行きに合わせた寸法を有するサイドカバーパネル７が当接するように設けられている。そして、上側の取付金具１０ｃでは、第１平面部１１がサイドカバーパネル７の内側面に当接し、第４平面部１４が背面パネル５の外側面に当接し、第２平面部１２が天板３の下側面に当接している。
【００２３】
上側の取付金具１０ｃは、この姿勢において、ビス貫通用の孔１４ａを貫通するビスにより背面パネル５に連結され、ビス貫通用の孔１１ｃを貫通するビスによりサイドカバーパネル７に連結される。さらに、上側の取付けフレーム８ａが、ビス螺合用のねじ孔１３ａと螺合するビスにより上側の取付金具１０ｃに連結される。
【００２４】
一方、下側の取付金具１０ｄでは、第１平面部１１がサイドカバーパネル７の内側面に当接し、第４平面部１４が背面パネル５の外側面に当接し、第２平面部１２が床面に当接している。下側の取付金具１０ｄは、この姿勢において、ビス貫通用の孔１４ａを貫通するビスにより背面パネル５に連結され、ビス貫通用の孔１１ｃを貫通するビスによりサイドカバーパネル７に連結される。
【００２５】
さらに、下側の取付けフレーム８ｂがビス螺合用のねじ孔１３ａと螺合するビスにより下側の取付金具１０ｄに連結される。こうして、第２具体例においても、上側の取付けフレーム８ａと下側の取付けフレーム８ｂとの間に、図示を省略したバックカバーパネルが取り付けられる。そして、上側の取付けフレーム８ａおよび下側の取付けフレーム８ｂ並びにビスのヘッドは、対応するカバーフレーム９ａおよびカバーフレーム９ｂにより覆われる。
【００２６】
図７の第３具体例を参照すると、上側の背面パネル５ａがセットバックすることなく側面パネル６の後端面の位置に取り付けられ、下側の背面パネル５ｂが側面パネル６の後端面からある程度セットバックして取り付けられている。また、側面パネル６の外側には、天板３（図７では不図示）の奥行きに合わせた寸法を有するサイドカバーパネル７が当接するように設けられている。
【００２７】
そして、上側の取付金具１０ｅでは、第１平面部１１がサイドカバーパネル７の内側面に当接し、第４平面部１４が上側の背面パネル５ａの外側面に当接し、第２平面部１２が天板３の下側面に当接している。上側の取付金具１０ｅは、この姿勢において、ビス貫通用の孔１４ａを貫通するビスにより上側の背面パネル５ａに連結され、ビス貫通用の孔１１ｃを貫通するビスによりサイドカバーパネル７に連結される。さらに、上側の取付けフレーム８ａが、ビス螺合用のねじ孔１３ａと螺合するビスにより上側の取付金具１０ｅに連結される。
【００２８】
一方、下側の取付金具１０ｆでは、第１平面部１１がサイドカバーパネル７の内側面に当接し、第５平面部１５が側面パネル６の内側面に当接し、連結部１６が側面パネル６の後端面に当接し、第４平面部１４が床面に当接している。下側の取付金具１０ｆは、この姿勢において、ビス貫通用の孔１５ａを貫通するビスにより側面パネル６に連結され、ビス貫通用の孔１１ｃを貫通するビスによりサイドカバーパネル７に連結される。
【００２９】
さらに、下側の取付けフレーム８ｂがビス螺合用のねじ孔１２ａと螺合するビスにより下側の取付金具１０ｆに連結される。こうして、第３具体例においても、上側の取付けフレーム８ａと下側の取付けフレーム８ｂとの間に、図示を省略したバックカバーパネルが取り付けられる。そして、上側の取付けフレーム８ａおよび下側の取付けフレーム８ｂ並びにビスのヘッドは、対応するカバーフレーム９ａおよびカバーフレーム９ｂにより覆われる。
【００３０】
以上のように、本実施形態では、フラット対面キッチンＳの側面パネル６の後端面とバックカバーパネルの内側面との間に介在する取付金具１０を用いているので、側面パネル６の後端面から所定の距離だけ間隔を隔ててバックカバーパネルを取り付けることが可能になる。すなわち、側面パネル６と背面パネル５との間の取合い態様にかかわらず、フラット対面キッチンＳに対してバックカバーパネルを同じ奥行き位置に取り付けることができる。
【００３１】
その結果、本実施形態では、背面パネル５の後方に配管スペースを確保しつつ、リビングルームＬ側からの美観を保つことができる。また、所定の奥行き寸法を有する天板３と一定の奥行き位置に取り付けられたバックカバーパネルとにより、フラット対面キッチンＳの後方に一定寸法のスペースが確保されるので、この規格化された後方スペースを有効利用することができる。
【００３２】
また、本実施形態では、取付金具１０が、図２〜図４に示すような所定の形態にしたがって互いに連接された５つの平面部１１〜１５と１つの連結部１６とにより形成されている。したがって、本実施形態では、非常に簡素な構成を有し且つ取り扱いの容易な取付金具１０を実現することができる。
【００３３】
また、本実施形態では、第２平面部１２および第３平面部１３にビス螺合用のねじ孔１２ａおよび１３ａを形成し、第１平面部１１、第４平面部１４および第５平面部１５にビス貫通用の孔１１ｃ、１４ａおよび１５ａを形成している。したがって、本実施形態では、ビスを用いてバックカバーパネルの取付けを容易に且つ迅速に行うことができる。
【００３４】
なお、本実施形態では、側面パネル６の外側に、サイドカバーパネル７が当接するように設けられている。しかしながら、フラット対面キッチンＳの片側が壁に接するような場合には、壁に接する側の側面パネル６の外側にサイドカバーパネル７を設ける必要がないことはいうまでもない。
【図面の簡単な説明】
【００３５】
【図１】本発明の実施形態にかかるフラット対面キッチンの構成を概略的に示す上面図である。
【図２】本実施形態にかかる取付金具の構成を第１姿勢で概略的に示す斜視図である。
【図３】本実施形態にかかる取付金具の構成を第２姿勢で概略的に示す斜視図である。
【図４】本実施形態にかかる取付金具の構成を第３姿勢で概略的に示す斜視図である。
【図５】本実施形態にかかる取付金具を用いる第１具体例を説明する図である。
【図６】本実施形態にかかる取付金具を用いる第２具体例を説明する図である。
【図７】本実施形態にかかる取付金具を用いる第３具体例を説明する図である。
【符号の説明】
【００３６】
Ｓ  フラット対面キッチン
１  シンク
２  水栓
３  天板（カウンター面）
４  洗剤バスケット
５  背面パネル
６  側面パネル
７  サイドカバーパネル
８  取付けフレーム
９  カバーフレーム
１０  取付金具
１１〜１５  各平面部
１６  連結部
【図１】
2005192852.tif 000003
【図２】
2005192852.tif 000004
【図３】
2005192852.tif 000005
【図４】
2005192852.tif 000006
【図５】
2005192852.tif 000007
【図６】
2005192852.tif 000008
【図７】
2005192852.tif 000009